(57)【要約】【課題】  執務者の衣服や鞄等を、執務者の身近に体裁よくコンパクトに収容することができるとともに、構造が簡単で、容易に製造することができ、オフィスのレイアウト変更にも容易に応じることができ、しかも、衣服を容易に出し入れできるようにした収納家具を提供する。【解決手段】  物品収納用空間１を介して、並置立設した左右１対の側板２、２の下端部同士を適宜連結するとともに、両側板２、２の上端部間に跨って、衣服用ハンガーバー４を取り付けることにより、前面と上面とを開放させする。【選択図】図１
2005143587.tif 000002
【特許請求の範囲】
【請求項１】
物品収納用空間を介して、並置立設した左右１対の側板の下端部同士を適宜連結するとともに、両側板の上端部間に跨って、衣服用ハンガーバーを取り付けることにより、前面と上面とを開放させたことを特徴とする収納家具。
【請求項２】
後面をも開放させてなる請求項１記載の収納家具。
【請求項３】
少なくともいずれか一方の側板を机等の作業用家具の側端に取り付けて立設したことを特徴とする請求項１または２に記載の収納家具。
【請求項４】
両側板を同形同寸とし、かつ一方の側板を、机等の天板の側端に止着して立設したことを特徴とする請求項３記載の収納家具。
【請求項５】
両側板を、机等の天板の上方へ突出する高さとしたことを特徴とする請求項４記載の収納家具。
【請求項６】
間仕切もしくは衝立として機能しうるように自立可能としたことを特徴とする請求項１または２に記載の収納家具。
【請求項７】
下端に側板の板面と直交して突出する脚杆を設けたことを特徴とする請求項６記載の収納家具。
【請求項８】
下端にキャスターを取り付けたことを特徴とする請求項６または７記載の収納家具。
【請求項９】
開口部に開閉手段を設けた請求項１〜８のいずれかに記載の収納家具。
【請求項１０】
開閉手段を、シャッター扉とした請求項９記載の収納家具。
【請求項１１】
開閉手段を閉止状態で施錠しうる施錠装置を設けた請求項９または１０記載の収納家具。
【発明の詳細な説明】
【技術分野】
【０００１】
本発明は、オフィス等の執務空間において衣服等を簡易に収納しうるようにした収納家具に関する。
【背景技術】
【０００２】
この種の収納家具として、衣服収納部を他の収納家具の一部に組み込んだものがある（例えば、特許文献１および２参照）。
また、執務者の衣服等を、ハンガーに掛けて机の脇に吊り下げておくことができるようにしたものもある（例えば、特許文献３参照）。
【特許文献１】特開２０００−２３６９６０号公報（図１）
【特許文献２】特開２００３−１１４６１１号公報（図１）
【特許文献３】特開２００３−２１９９２８号公報（図２）
【発明の開示】
【発明が解決しようとする課題】
【０００３】
しかし、上記特許文献１および２に記載されているものは、収納家具自体が大型であり、執務者の背面等にそのような家具を配置するだけのスペースがある場合だけに限られ、そのようなスペースのない一般的な執務室においては、各執務者の衣服をまとめて別室のロッカー等に収納するようにしていることが多い。
この場合は、各執務者の身近に衣服等を置けないので不便であり、またセキュリティーの面でも好ましくない。
【０００４】
上記特許文献３に記載されているものは、執務者の衣服等を、執務者の身近に掛けておくことができるという利便性はあるものの、衣服が外部に露呈しているので、オフィス内の美観を損なうとともに、執務中に筆記具や飲料等により、衣服等を汚すおそれがある。
【０００５】
本発明は、従来の技術が有する上記のような問題点に鑑み、執務者の衣服や鞄等を、執務者の身近に体裁よくコンパクトに収容することができるとともに、構造が簡単で、容易に製造することができ、オフィスのレイアウト変更にも容易に応じることができ、しかも、衣服を容易に出し入れできるようにした収納家具を提供することを目的としている。
【課題を解決するための手段】
【０００６】
本発明によると、上記課題は、次のようにして解決される。
(１)  物品収納用空間を介して、並置立設した左右１対の側板の下端部同士を適宜連結するとともに、両側板の上端部間に跨って、衣服用ハンガーバーを取り付けることにより、前面と上面とを開放させる。
【０００７】
(２)  上記(１)項において、後面をも開放させる。
【０００８】
(３)  上記(１)または(２)項において、少なくともいずれか一方の側板を机等の作業用家具の側端に取り付けて立設する。
【０００９】
(４)  上記(３)項において、両側板を同形同寸とし、かつ一方の側板を、机等の天板の側端に止着して立設する。
【００１０】
(５)  上記請求項(４)項において、両側板を、机等の天板の上方へ突出する高さとする。
【００１１】
(６)  上記(１)または(２)項において、間仕切もしくは衝立として機能しうるように自立可能とする。
【００１２】
(７)  上記(６)項において、下端に側板の板面と直交して突出する脚杆を設ける。
【００１３】
(８)  上記(６)または(７)項において、下端にキャスターを取り付ける。
【００１４】
(９)  上記(１)〜(８)項のいずれかにおいて、開口部に開閉手段を設ける。
【００１５】
(１０)  上記請求項(９)項において、開閉手段を、シャッター扉とする。
【００１６】
(１１)  上記請求項(９)または(１０)項において、開閉手段を閉止状態で施錠しうる施錠装置を設ける。
【発明の効果】
【００１７】
本発明によると、次のような効果を奏することができる。
(ａ)請求項１記載の発明によると、左右１対の側板の下端部同士を適宜連結するとともに、両側板の上端部間に跨って、衣服用ハンガーバーを取り付けることにより、両側板は互いに強固に結合され、これを、執務室内の机の側端や、互いに隣接する机の間、または机と壁面との間等のわずかの隙間にコンパクトに配置することができ、オフィスのレイアウト変更にも容易に応じることができる。
したがって、各執務者の身近にこの収納家具を配置して、そのハンガーバーに、各執務者の衣服を掛けたハンガーを吊支したり、両側板間の下部に鞄や身回品等を体裁よくコンパクトに収納しておくことができる。
この収納状態において、吊支された衣服や身回品等は、左右の側板により両側面が覆われているので、オフィス内の美観を損なうことはない。
また、１対の側板と、その下端部同士を連結する連結手段と、ハンガーバーとの４部材だけで構成することができ、部品点数が少なく、構造が簡単で、容易に製造することができる。
さらに、前面と上面とが開放しているので、収納家具全体を低寸としても、衣服を掛けたハンガー等を、前上方からハンガーバーに掛けたり、ハンガーバーから外したりすることができるので、出し入れが容易である。
【００１８】
(ｂ)請求項２記載の発明によると、衣服や身回品を収納家具の前後いずれからでも出し入れすることができる。
【００１９】
(ｃ)請求項３記載の発明によると、作業用家具によって収納家具の側方への傾倒が阻止されるので、収納家具は安定して支持される。
【００２０】
(ｄ)請求項４記載の発明によると、収納家具を机等の天板の側端に簡単に連結することができる。
【００２１】
(ｅ)請求項５記載の発明によると、収納家具における机等の天板より上方に突出する部分が、隣接する机との間の仕切りとして機能し、別途仕切りパネル等を設ける必要がなくなる。
【００２２】
(ｆ)請求項６記載の発明によると、収納家具を、間仕切や衝立として使用することができるので、好都合である。
【００２３】
(ｇ)請求項７記載の発明によると、収納家具が安定して自立できるので、単独で間仕切や衝立として便利に利用することができる。
【００２４】
(ｈ)請求項８記載の発明によると、キャスターにより、収納家具は床面上を自由に移動できるので、可動式の間仕切や衝立として有効に利用することができる。
【００２５】
(ｉ)請求項９記載の発明によると、収容した衣服等を完全に覆うことができるので、外観をさらによくすることができるとともに、セキュリティーも向上する。
【００２６】
(ｊ)請求項１０記載の発明によると、シャッター扉により、開口を体裁よく開閉することができる。
【００２７】
(ｋ)請求項１１記載の発明によると、セキュリティーをさらに向上することができる。
【発明を実施するための最良の形態】
【００２８】
以下、本発明の実施形態を，図面に基づいて説明する。
図１〜図４は、本発明の第１の実施形態とそれに連結した机とを示し、図５は、その使用例を示す。
【００２９】
同図に示すように、この収納家具(Ａ)は、物品収納用空間(１)を介して、並置立設した左右１対の側面視方形の２枚の側板(２)(２)と、この両側板(２)(２)の下端部同士を適宜連結する底板(３)と、両側板(２)(２)の上端部間に跨って取付けられた左右方向を向く衣服用ハンガーバー(４)と、物品収納用空間(１)の後端を閉塞するように両側板(２)(２)の後端に固着された後面板(５)とを備え、前面と上面とが開放している。
【００３０】
２枚の側板(２)(２)間の間隔は、後述するように、１着または２着の衣服(17)、特に上着を、ハンガー(18)に掛けてハンガーバー(４)に吊支しうるに必要十分な間隔、具体的には、１０〜２０ｃｍ程度とするのが好ましい。この間隔を狭くするほど、外方から内部の収納物が見え難くなり、体裁をよくすることができる。
【００３１】
図３に示すように、底板(３)の下面四隅には、高さ調節用のアジャスタボルト(６)が設けられている。
【００３２】
図４に示すように、ハンガーバー(４)は、管材よりなり、左右の端部が、両側板(２)(２)の内面にボルト(７)をもって固着された接続部材(８)の筒部(8a)に外嵌され、かつ下方から止めねじ(９)をもって筒部(8a)に止着されることにより、各側板(２)に強固に結合されている。
【００３３】
各側板(２)は、上枠材(10)、下枠材、前枠材および後枠材(上枠材以外は図示略)を組み付けた方形のフレーム(11)の両側面に、２枚のパネル(12)(12)を張り合わせたものよりなり、上枠材(10)内に、上記ボルト(７)が螺合するナット(13)が設けられている。
【００３４】
図１および図２に示すように、左右いずれか一方の側板(２)の中位部外側面を、作業用家具の一種である机(Ｂ)における天板(14)の側端に当接し、かつ正面視倒立Ｌ字状をなす連結金具(15)の水平片(15a)を天板(14)の下面に、また水平片(15a)の基端より垂下する垂下片(15b)を上記側板(２)の外側面にそれぞれ当接して、ねじ(16)をもって止着することにより、収納家具(Ａ)は、机(Ｂ)に強固に結合され、安定して支持されるので、側方への傾倒が防止される。
【００３５】
第１の実施形態においては、左右１対の側板の下端部同士を底板(３)をもって連結するとともに、両側板(２)(２)の上端部間に跨って、衣服用ハンガーバー(４)を取り付けたことにより、両側板(２)(２)は互いに強固に結合され、これを、執務室内の机(Ｂ)の側端や、互いに隣接する机の間、または机と壁面との間等のわずかの隙間にコンパクトに配置することができ、オフィスのレイアウト変更にも容易に応じることができる。
【００３６】
したがって、各執務者の身近にこの収納家具(Ａ)を配置して、そのハンガーバー(４)に、図３に示すように、各執務者の衣服(17)を掛けたハンガー(18)を吊支したり、両側板(２)(２)間の下部に鞄(19)や身回品等を体裁よくコンパクトに収納しておくことができる。
【００３７】
この収納状態において、吊支された衣服(17)や鞄(19)等は、左右の側板(２)(２)により両側面が覆われているので、オフィス内の美観を損なうことはない。
また、１対の側板(２)(２)と、その下端部同士を連結する連結手段である底板(３)と、ハンガーバー(４)との４部材だけで構成することができ、部品点数が少なく、構造が簡単で、容易に製造することができる。
【００３８】
なお、後面板(５)は、省略して実施することができ、これを省略すると、衣服(17)や身回品を収納家具(Ａ)の前後いずれからでも出し入れすることができるようになる。
【００３９】
さらに、収納家具(Ａ)は、前面と上面とが開放しているので、収納家具(Ａ)全体を低寸としても、衣服(17)を掛けたハンガー(18)等を、前上方からハンガーバー(４)に掛けたり、ハンガーバー(４)から外したりすることができるので、出し入れが容易である。
【００４０】
図５は、複数の机(Ｂ)を、相互の間に収納家具(Ａ)を１個ずつ挟んで横１列に並設したときの状態を示す。
このようにすると、各机(Ｂ)を使用する執務者の衣服(17)等を身近な収納家具(Ａ)にそれぞれ収納することができるとともに、収納家具(Ａ)における机(Ｂ)の天板(14)より上方に突出する部分が、隣接する机(Ｂ)との間の仕切りとして機能し、別途仕切りパネル等を設ける必要がなくなる。
【００４１】
図６は、本発明の第２の実施形態を示す。なお、第１の実施形態におけるのと同一または類似の部材には、同一の符号を付して図示するに止め、詳細な説明は省略する。
この例では、両側板(２)(２)間の物品収納用空間(１)の前面と上面の開口部に、開閉手段としてのシャッター扉(20)を、前面下部から上方および上面の後方に向かって開き、かつその逆方向に閉じるようにして設け、かつ閉止状態のシャッター扉(20)の前下端部に、底板(３)の前部に係脱して、シャッター扉(20)を閉止状態で施錠しうる施錠装置(21)を設けてある。
こうすることにより、収容した衣服(17)等を完全に覆うことができるので、外観をさらによくすることができるとともに、セキュリティーも向上する。
【００４２】
またこの例では、収納家具(Ａ)の下端両側部に、側板(２)の板面と直交して突出する脚杆(22)を設けるとともに、各脚板(22)の先端部下面にキャスター(23)をそれぞれ設けてある。
これにより、収納家具(Ａ)は、自立することができ、単独で間仕切もしくは衝立として機能しうるとともに、キャスター(23)により、床面上を自由に移動することができ、可動式の間仕切や衝立として有効に利用することができる。
【００４３】
なお、上記の実施形態の他にも、例えば、シャッター扉(20)に代えて、横開き式の開閉手段を設けたり、両側板(２)(２)の中位部に棚板を架設したりして実施することも可能である。
【図面の簡単な説明】
【００４４】
【図１】本発明の第１の実施形態である収納家具とそれに連結した机との斜視図である。
【図２】同じく、その分解斜視図である。
【図３】図１のIII−III線拡大断面図である。
【図４】図１のIV−IV線拡大断面図である。
【図５】本発明の第１の実施形態の使用例を示す斜視図である。
【図６】本発明の第２の実施形態である収納家具の斜視図である。
【符号の説明】
【００４５】
(Ａ)収納家具
(Ｂ)机(作業用家具)
(１)物品収納用空間
(２)側板
(３)底板
(４)ハンガーバー
(５)後面板
(６)アジャスタボルト
(７)ボルト
(８)接続部材
(９)止めねじ
(10)上枠材
(11)フレーム
(12)パネル
(13)ナット
(14)天板
(15)連結金具
(15a)水平片
(15b)垂下片
(16)ねじ
(17)衣服
(18)ハンガー
(19)鞄
(20)シャッター扉(開閉手段)
(21)施錠装置
(22)脚杆
(23)キャスター
【図１】
2005143587.tif 000003
【図２】
2005143587.tif 000004
【図３】
2005143587.tif 000005
【図４】
2005143587.tif 000006
【図５】
2005143587.tif 000007
【図６】
2005143587.tif 000008